(57)【特許請求の範囲】
【請求項１】
画像を表示する表示画面を有する表示パネルと、
前記表示画面を露出させて前記表示パネルを厚み方向両側から挟持する一対の筐体とを備え、
前記一対の筐体は、互いに係合するための係合部を有し、
前記一対の筐体のうち、一方の筐体の係合部は、前記表示パネル側に突出する爪部を有し、
前記一対の筐体のうち、他方の筐体の係合部は、
前記爪部が係合される係合孔が形成される孔部と、
前記爪部が、前記表示パネルの厚み方向に垂直な側面方向に摺動可能な摺動部と、
前記側面方向に関して前記摺動部とは反対側に、前記摺動部に対向して設けられ、前記爪部を係止する係止部と、
前記係止部と前記摺動部とを連結する連結部とを有し、
前記摺動部は、前記他方の筐体の前記表示パネルを覆う本体部分から、前記表示パネルの厚み方向一方側に突出して形成され、
前記孔部は、前記本体部分と、前記係止部と、前記摺動部と、前記連結部とによって形成されることを特徴とする表示装置。
【請求項２】
前記摺動部は、前記爪部と接する部分が、凹曲面状に形成されることを特徴とする請求項１に記載の表示装置。
【請求項３】
前記他方の筐体の係合部は、前記他方の筐体の前記表示パネルを覆う本体部分と別体に形成されて、前記本体部分に接着によって固定されることを特徴とする請求項１または２に記載の表示装置。
【請求項４】
画像を表示する表示画面を有する表示パネルと、前記表示画面を露出させて前記表示パネルを厚み方向両側から挟持する一対の筐体とを備える表示装置の筐体取付構造であって、
前記一対の筐体は、互いに係合するための係合部を有し、
前記一対の筐体のうち、一方の筐体の係合部は、前記表示パネル側に突出する爪部を有し、
前記一対の筐体のうち、他方の筐体の係合部は、
前記爪部が係合される係合孔が形成される孔部と、
前記爪部が、前記表示パネルの厚み方向に垂直な側面方向に摺動可能な摺動部と、
前記側面方向に関して前記摺動部とは反対側に、前記摺動部に対向して設けられ、前記爪部を係止する係止部と、
前記係止部と前記摺動部とを連結する連結部とを有し、
前記摺動部は、前記他方の筐体の前記表示パネルを覆う本体部分から、前記表示パネルの厚み方向一方側に突出して形成され、
前記孔部は、前記本体部分と、前記係止部と、前記摺動部と、前記連結部とによって形成され、
前記一対の筐体は、前記爪部が、前記孔部に形成される係合孔に係合して係止されることによって、前記表示パネルに取付けられることを特徴とする表示装置の筐体取付構造。
【発明の詳細な説明】
【技術分野】
【０００１】
本発明は、液晶テレビジョン受像機などの表示装置およびその筐体取付構造に関する。
【背景技術】
【０００２】
液晶テレビジョン受像機およびプラズマディスプレイパネル（Plasma Display Panel；略称：ＰＤＰ）テレビジョン受像機などの薄型の表示装置は、表示部の表示画面の大型化が進んでいる。表示画面の大型化が進む一方で、表示部の大きさが、そのまま表示画面のサイズ（以下「画面サイズ」という場合がある）になるという全画面表示のデザインがユーザに好まれている。
【０００３】
表示部を構成する表示パネルは、表示画面側に配置される前面筐体と、背面側に配置される後面筐体とに挟持される構造となっている。全画面表示を実現するために、表示パネルの外周部を覆う前面筐体の枠部分の幅方向の寸法（以下「枠幅」という場合がある）は、表示パネルの大きさと比較して可及的に小さくされる傾向にある。また筐体の奥行き方向、すなわち表示パネルの厚み方向の寸法は、可及的に小さくされる傾向にある。
【０００４】
前面筐体の枠幅を小さくするための方法としては、前面筐体と後面筐体とを結合するねじを、従来から使用しているねじよりも径の小さいねじに変更することが考えられる。これによって、前面筐体に形成する必要のあるねじ固定用のボスを、従来よりも径の小さいボスに変更することが可能となる。このねじ固定用のボスは、表示パネルの外周部に配置される。したがって、前述のようにねじ固定用のボスの径を従来よりも小さくすることによって、ボスを配置するために必要となる表示パネルの外周部の寸法を小さくし、前面筐体の枠幅を小さくすることが可能となる。
【０００５】
その反面、従来よりも径の小さいねじを用いる構造において、筐体の結合強度、すなわち前面筐体と後面筐体とを結合する強度を従来と同等に確保するためには、ねじの本数を増やす必要がある。ねじの本数を増やすと、部品点数が増大し、製造コストが増大するという問題が生じる。また、市場サービスおよび材料のリサイクルのための分解作業において、後部筐体を取外すために緩める必要のあるねじの本数が多くなるので、作業工数が多くなるという問題がある。さらに、ねじの本数が多くなると、外観部で露出するねじの箇所が多くなり、外観部のデザイン性が損なわれるという問題がある。
【０００６】
表示装置に関する技術ではないが、筐体の構造に関する技術が、たとえば特許文献１および特許文献２に開示されている。
【０００７】
特許文献１は、フック部と係合孔との着脱によって２つの部材の取付けおよび取外しが為されるフック取付構造を開示する。特許文献１に開示されるフック取付構造は、フック部と係合孔との着脱を容易にするために、係合孔が設けられていると共に、この係合孔よりも端部側に延出している撓みガイド部を有する第１の部材と、抜け止め機能を有するフック部がフック形成部に突出形成されていると共に、撓みガイド部と対向する部分に押し込み孔が設けられている第２の部材とを備える。特許文献１に開示されるフック取付構造では、押し込み孔に押し込み部材を挿通させ、この押し込み部材を押し込むことで撓みガイド部を撓ませると共に、この撓みガイド部を撓ませることによってフック形成部も撓ませることによって、フック部と係合孔との係合状態が解かれる。
【０００８】
特許文献２は、筐体の端部を前面飾板の筐体挿入部に挿入して前面飾板に筐体を連結する前面飾板の筐体取付構造を開示する。特許文献２に開示される前面飾板の筐体取付構造では、複数の嵌合孔と該嵌合孔のそれぞれに向かう案内溝とが筐体の端部外壁に形成され、嵌合孔に対応させた複数の爪部が前面飾板の筐体挿入部に形成され、案内溝で爪部の両端を倣って、爪部が嵌合孔に係止されるまで、筐体の端部が前面飾板の筐体挿入部に挿入される。この構造において、さらに、爪部の支持部分の平面形状をほぼコ字状型として内側に切欠き部が設けられ、爪部が勘合孔に係止された状態で案内溝を覆って遮断する遮蔽板が切欠き部の内側に配置されている。
【先行技術文献】
【特許文献】
【０００９】
【特許文献１】特開２００４−２２１１２１号公報（段落［００２５］〜［００４５］、図１）
【特許文献２】特開平６−２１６５４３号公報（段落［００１２］〜［００２０］、図１）
【発明の概要】
【発明が解決しようとする課題】
【００１０】
前述の特許文献１および特許文献２に開示される構造では、外観部となる筐体に、筐体を取外すときに必要となる押し込み用の孔を形成する必要がある。したがって、外観部は、押し込み用の孔による凹みを有しており、表面を平坦な形状に形成することができないので、外観部のデザイン性が損なわれるという問題がある。
【００１１】
また筐体の結合強度を確保するためには、たとえば特許文献１に開示される構造では、係合孔に係合されるフック部の高さを大きくする必要がある。同様に、特許文献２に開示される構造では、嵌合孔に係止される爪部の高さを大きくする必要がある。しかし、フック部および爪部（以下「係合部」という場合がある）の高さは、これらが係合または係止される孔が形成される部材の撓み寸法よりも大きくすることはできないので、筐体の結合強度を充分に確保することができないという問題がある。
【００１２】
この問題を解決するために、孔が形成される部材の撓み寸法を大きくして、係合部の高さを大きくすることも考えられるが、撓み寸法を大きくするためには、筐体の内部構造との間に、撓み寸法分の隙間を形成する必要がある。このように撓み寸法分の隙間を形成すると、内部構造に対し、筐体の外形が大きくなるという問題がある。
【００１３】
筐体の結合強度を確保するための方法としては、係合部の形成箇所を増やすことも考えられる。係合部の形成箇所を増やすと、筐体を取外すときに複数箇所の係合部を押し込む必要があるので、筐体の取外しが難しくなるという問題がある。また筐体を取外すときに、係合部が破損するおそれがあるという問題がある。また筐体を金型で製造するときには、係合部を形成するために、筐体の金型構造をスライド構造などにする必要があるので、金型構造の複雑化、金型工期の長期化および金型のコストの増大が生じるという問題がある。
【００１４】
したがって特許文献１および特許文献２に開示される構造を表示装置の筐体に適用しても、筐体の結合強度を確保するとともに、筐体を容易に取外し可能に構成することは困難である。
【００１５】
本発明の目的は、筐体の結合強度を確保するとともに、筐体を容易に取外すことが可能な表示装置の筐体取付構造およびそれを用いた表示装置を提供することである。
【課題を解決するための手段】
【００１６】
本発明の表示装置は、画像を表示する表示画面を有する表示パネルと、前記表示画面を露出させて前記表示パネルを厚み方向両側から挟持する一対の筐体とを備え、前記一対の筐体は、互いに係合するための係合部を有し、前記一対の筐体のうち、一方の筐体の係合部は、前記表示パネル側に突出する爪部を有し、前記一対の筐体のうち、他方の筐体の係合部は、前記爪部が係止される係合孔が形成される孔部と、前記爪部が、前記表示パネルの厚み方向に垂直な側面方向に摺動可能な摺動部と、前記側面方向に関して前記摺動部とは反対側に、前記摺動部に対向して設けられ、前記爪部を係止する係止部と、前記係止部と前記摺動部とを連結する連結部とを有し、前記摺動部は、前記他方の筐体の前記表示パネルを覆う本体部分から、前記表示パネルの厚み方向一方側に突出して形成され、前記孔部は、前記本体部分と、前記係止部と、前記摺動部と、前記連結部とによって形成されることを特徴とする。
【００１７】
本発明の表示装置の筐体取付構造は、画像を表示する表示画面を有する表示パネルと、前記表示画面を露出させて前記表示パネルを厚み方向両側から挟持する一対の筐体とを備える表示装置の筐体取付構造であって、前記一対の筐体は、互いに係合するための係合部を有し、前記一対の筐体のうち、一方の筐体の係合部は、前記表示パネル側に突出する爪部を有し、前記一対の筐体のうち、他方の筐体の係合部は、前記爪部が係止される係合孔が形成される孔部と、前記爪部が、前記表示パネルの厚み方向に垂直な側面方向に摺動可能な摺動部と、前記側面方向に関して前記摺動部とは反対側に、前記摺動部に対向して設けられ、前記爪部を係止する係止部と、前記係止部と前記摺動部とを連結する連結部とを有し、前記摺動部は、前記他方の筐体の前記表示パネルを覆う本体部分から、前記表示パネルの厚み方向一方側に突出して形成され、前記孔部は、前記本体部分と、前記係止部と、前記摺動部と、前記連結部とによって形成され、前記一対の筐体は、前記爪部が、前記孔部に形成される係合孔に係合して係止されることによって、前記表示パネルに取付けられることを特徴とする。
【発明の効果】
【００１８】
本発明の表示装置によれば、表示パネルを挟持する一対の筐体のうち、一方の筐体の係合部は爪部を有する。他方の筐体の係合部は、爪部が係止される係合孔が形成される孔部と、爪部が、表示パネルの厚み方向に垂直な側面方向に摺動可能な摺動部とを有する。これによって、一方の筐体の係合部の爪部を、他方の筐体の係合部の孔部に形成される係合孔に係合して係止することによって、一対の筐体の結合強度を確保して、一対の筐体を表示パネルに取付けることができる。また一方の筐体の係合部の爪部を、他方の筐体の係合部の摺動部で側面方向に摺動させることができるので、爪部を孔部から容易に外すことができる。したがって、一対の筐体の結合強度を確保するとともに、筐体を容易に取外すことが可能となる。
【００１９】
本発明の表示装置の筐体取付構造によれば、一対の筐体は、一方の筐体の係合部の爪部が、他方の筐体の係合部の孔部に形成される係合孔に係合して係止されることによって、表示パネルに取付けられるので、一対の筐体の結合強度を確保することができる。また他方の筐体の係合部は、爪部が、表示パネルの厚み方向に垂直な側面方向に摺動可能な摺動部を有するので、爪部を摺動部で側面方向に摺動させることによって、孔部から容易に外すことができる。したがって、一対の筐体の結合強度を確保するとともに、筐体を容易に取外すことが可能となる。
【図面の簡単な説明】
【００２０】
【図１】本発明の実施の一形態である表示装置１の一部分の構成を示す断面図である。
【図２】図１に示す前面筐体２０の係合部２１の構成を示す斜視図である。
【図３】図１に示す後面筐体３０の係合部３１の構成を示す斜視図である。
【図４】本発明の実施の一形態である表示装置１を斜め前方から見た分解斜視図である。
【図５】図４に示す後面筐体３０の第１筐体部分３０ａおよび第２筐体部分３０ｂを表示装置１の斜め後方から見た分解斜視図である。
【図６】図５に示す第２筐体部分３０ｂの一部分を表示装置１の斜め前方から見た斜視図である。
【図７】図５に示す第２筐体部分３０ｂの一部分を表示装置１の斜め後方から見た斜視図である。
【発明を実施するための形態】
【００２１】
図１は、本発明の実施の一形態である表示装置１の一部分の構成を示す断面図である。図２は、図１に示す前面筐体２０の係合部２１の構成を示す斜視図である。図３は、図１に示す後面筐体３０の係合部３１の構成を示す斜視図である。図４は、本発明の実施の一形態である表示装置１を斜め前方から見た分解斜視図である。図５は、図４に示す後面筐体３０の第１筐体部分３０ａおよび第２筐体部分３０ｂを表示装置１の斜め後方から見た分解斜視図である。図６は、図５に示す第２筐体部分３０ｂの一部分を表示装置１の斜め前方から見た斜視図である。図７は、図５に示す第２筐体部分３０ｂの一部分を表示装置１の斜め後方から見た斜視図である。本実施の形態の表示装置１は、液晶表示装置である。
【００２２】
表示装置１は、図１および図４に示すように、液晶表示パネル１０と、一対の筐体、すなわち前面筐体２０および後面筐体３０とを備えて構成される。本実施の形態では、前面筐体２０が一方の筐体に相当し、後面筐体３０が他方の筐体に相当する。以下の説明では、前面筐体２０と後面筐体３０とを合わせて、筐体２０，３０という場合がある。
【００２３】
液晶表示パネル１０は、画像を表示する表示画面１４を有する。表示画面１４は、矩形状に形成される。表示装置１は、表示画面１４の短辺方向が鉛直方向に一致し、かつ表示画面１４の長辺方向が水平方向に一致するように設置されて使用される。以下の説明では、表示装置１の使用状態において、表示画面１４に向かって手前方向を前方といい、その反対方向を後方という場合がある。また表示画面１４の長辺方向を横方向といい、短辺方向を縦方向という場合がある。図１において、横方向である表示画面１４の長辺方向は、図１の紙面に垂直な方向であり、縦方向である表示画面１４の短辺方向は、図１の紙面に向かって上下方向である。
【００２４】
液晶表示パネル１０は、表示画面１４を有する液晶表示部１１と、バックライト装置１２と、液晶表示パネル外枠１３とを備える。バックライト装置１２は、液晶表示部１１に光を照射する。液晶表示部１１は、バックライト装置１２から照射された光を透過するか、または遮断するかを画素毎に制御することによって、表示画面１４に画像を表示する。液晶表示部１１は、矩形板状に形成される。液晶表示部１１の厚み方向一方側の表面部のうち、画像の表示に使用される部分を、表示画面１４という。液晶表示部１１の厚み方向一方側の表面部の外周端部は、液晶表示パネル外枠１３によって覆われている。
【００２５】
液晶表示パネル１０の形状は、全体として、矩形状の略平板状である。一対の筐体である前面筐体２０と後面筐体３０とは、表示画面１４を露出させて、液晶表示パネル１０を厚み方向両側から挟持する。前面筐体２０は、液晶表示パネル１０の厚み方向一方側である表示画面１４側、すなわち表示装置１の前方側に配置される。後面筐体３０は、表示画面１４とは反対側の背面側である液晶表示パネル１０の厚み方向他方側、すなわち表示装置１の後方側に配置される。
【００２６】
前面筐体２０は、矩形枠状に形成される枠状部２４と、後面筐体３０と係合するための係合部２１とを有する。前面筐体２０は、枠状部２４によって、液晶表示パネル外枠１３およびその内周縁部近傍の液晶表示部１１を、液晶表示パネル１０の厚み方向一方側から覆う。表示画面１４は、液晶表示部１１の厚み方向一方側の表面部のうち、前面筐体２０の枠状部２４に囲繞される部分、換言すれば、前面筐体２０の枠状部２４の内側で露出する部分に相当する。
【００２７】
枠状部２４は、平板状に形成される平板部分２４ａと、平板部分２４ａに対して傾斜する傾斜部分２４ｂ，２４ｃとを有する。傾斜部分２４ｂ，２４ｃは、枠状部２４の内周端部２４ｂおよび外周端部２４ｃを構成する。平板部分２４ａは、枠状部２４の内周端部２４ｂおよび外周端部２４ａを除く部分を構成する。前面筐体２０は、枠状部２４の平板部分２４ａが、液晶表示パネル１０の厚み方向一方側の表面部に平行になるように配置されて、液晶表示パネル１０に取付けられる。
【００２８】
枠状部２４の内周端部２４ｂは、平板部分２４ａに対して、平板部分２４ａから離れるにつれて厚み寸法が小さくなるように傾斜して形成される。枠状部２４の外周端部２４ｃは、平板部分２４ａと等しい厚み寸法に形成され、平板部分２４ａから後方側に向かって、すなわち液晶表示パネル１０の厚み方向他方側に向かって、屈曲して形成される。前面筐体２０は、枠状部２４の外周端部２４ｃの周縁部分によって、後面筐体３０の後述する本体部分３４と接するようにして、後面筐体３０と結合される。
【００２９】
前面筐体２０の係合部（以下「前面係合部」という場合がある）２１は、前面筐体２０の枠状部２４を構成する４つの辺部のうち、表示装置１の使用状態において、表示画面１４に向かって上側に位置する辺部（以下「上辺部」という）に形成される。表示装置１の使用状態とは、前述のように表示画面１４の短辺方向が鉛直方向に一致し、かつ表示画面１４の長辺方向が水平方向に一致するように表示装置１を設置した状態である。
【００３０】
前面係合部２１は、より詳細には、枠状部２４の上辺部のうち、外周端部２４ｃの周縁部分に形成される。前面係合部２１は、前面筐体２０が液晶表示パネル１０に取付けられた状態において、枠状部２４の上辺部のうち、外周端部２４ｃの周縁部分から、液晶表示パネル１０の厚み方向両側の表面部に垂直な側面部側に突出する凸形状部として形成される。すなわち前面係合部２１は、液晶表示パネル１０の側面部側に突出して形成される。
【００３１】
前面係合部２１は、図１および図２に示すように、爪部（以下「前面爪部」という場合がある）２２を有する。より詳細には、前面係合部２１は、間隔をあけて形成される複数の前面爪部２２と、複数の前面爪部２２を連結する連結部（以下「前面連結部」という場合がある）２３とを有する。前面爪部２２は、前面筐体２０が液晶表示パネル１０に取付けられた状態において、液晶表示パネル１０側に突出して形成される。より詳細には、前面爪部２２および前面連結部２３は、前面筐体２０が液晶表示パネル１０に取付けられた状態において、枠状部２４の上辺部のうち、外周端部２４ｃの周縁部分よりも液晶表示パネル１０の側面部側に突出して形成される。
【００３２】
後面筐体３０は、略矩形状の板状に形成される本体部分３４と、前面筐体２０と係合するための係合部３１とを有する。本体部分３４は、後面筐体３０の液晶表示パネル１０を覆う板状部分である。後面筐体３０は、本体部分３４によって、背面側である液晶表示パネル１０の厚み方向他方側、すなわち後方側から、液晶表示パネル１０を覆う。
【００３３】
後面筐体３０の本体部分３４は、本体部分３４の外周端部を構成する矩形枠状部分と、矩形枠状部分よりも内側の凹状部分３４ｅとを有する。凹状部分３４ｅは、矩形枠状部分に囲繞される。凹状部分３４ｅは、液晶表示パネル１０のバックライト装置１２を構成する部材などを収容する収容部として機能する。
【００３４】
後面筐体３０の係合部（以下「後面係合部」という場合がある）３１は、本体部分３４の外周端部である矩形枠状部分を構成する４つの辺部のうち、表示装置１の使用状態において、表示画面１４に向かって上側に位置する辺部である上辺部に形成される。
【００３５】
本実施の形態では、図４に示すように、５つの後面係合部３１が形成される。５つの後面係合部３１は、本体部分３４の矩形枠状部分の上辺部のうち、上辺部の両端部と、上辺部の両端部間の中央部であるコア部３５と、上辺部の両端部とコア部３５との間の部分のうちのコア部３５寄りの部分とに形成される。前面係合部２１は、前面筐体２０の上辺部のうち、後面係合部３１が形成される部分に対応する部分に形成される。
【００３６】
図１は、後面筐体３０のコア部３５に形成される後面係合部３１およびその後面係合部３１と係合する前面係合部２１の位置での、表示画面１４に垂直な仮想一平面における表示装置１の断面図に相当する。図３は、図４のセクションＳの拡大図に相当する。図４は、後面筐体３０に向かって左斜め前方から見た斜視図であるが、図３は、後面筐体３０に向かって右斜め前方から見た斜視図である。図３では、後面筐体３０の本体部分の上辺部の一端部に形成される後面係合部３１を示しているが、他の後面係合部３１も同様の構成である。
【００３７】
図５〜図７に示すように、後面筐体３０は、本体部分３４の矩形枠状部分の上辺部のコア部３５において、上辺部の一端部を含む第１筐体部分３０ａと、上辺部の他端部を含む第２筐体部分３０ｂとに分割可能に構成される。第１筐体部分３０ａと第２筐体部分３０ｂとが結合されて、後面筐体３０が構成される。表示装置１の使用状態において、表示装置１の後方側から後面筐体３０に向かって左側の部分が第１筐体部分３０ａであり、右側の部分が第２筐体部分３０ｂである。第１筐体部分３０ａは、コア部３５の後面係合部３１を含む。
【００３８】
図５〜図７に示すように、本体部分３４の矩形枠状部分の上辺部のうち、コア部３５を除く部分（以下「コア側方部」という場合がある）は、平板状に形成される平板部分３４ｄと、平板部分３４ｄに対して垂直な周縁部分３４ｃとを有する。平板部分３４ｄは、凹状部分３４ｅに連なる。周縁部分３４ｃは、平板部分３４ｄに連なり、本体部分３４の外周端部である矩形枠状部分のうち、上辺部の周縁部分を構成する。
【００３９】
図１および図５〜図７に示すように、本体部分３４の矩形枠状部分の上辺部のうち、コア部３５は、コア側方部の平板部分３４ｄに連なり、平板部分３４ａよりも後方側に突出する突出部分３４ａと、コア側方部から延在する周縁部分３４ｃと、突出部分３４ａと周縁部分３４ｃとを接続する接続部分３４ｂとを有する。突出部分３４ａは、コア側方部の平板部分３４ｄに平行な平板状部分と、平板状部分とコア側方部の平板部分３４ｄとを接続する曲面状部分とを有する。接続部分３４ｂは、突出部分３４ａの平板状部分に対して傾斜して形成される。
【００４０】
後面筐体３０は、コア部３５の突出部分３４ａの平板状部分と、コア側方部の平板部分３４ｄとが、液晶表示パネル１０の厚み方向他方側の表面部に平行になるように配置されて、液晶表示パネル１０に取付けられる。後面筐体３０は、本体部分３４の矩形枠状部分の上辺部の周縁部分３４ｃによって、前面筐体２０と接するようにして、前面筐体２０と結合される。液晶表示パネル１０に取付けられた状態において、後面筐体３０の本体部分３４の矩形枠状部分のうち、上辺部の周縁部分３４ｃは、前面筐体２０の外周端部２４ｃの周縁部分と接している。
【００４１】
後面係合部３１は、後面筐体３０の矩形枠状部分の上辺部の周縁部分３４ｃに形成される。後面係合部３１は、液晶表示パネル１０に取付けられた状態において、本体部分３４の矩形枠状部分の上辺部の周縁部分３４ｃから、液晶表示パネル１０の厚み方向一方側である前面筐体２０側、および液晶表示パネル１０の側面部側に突出して形成される。
【００４２】
後面係合部３１は、後面筐体３０の平面部の上下方向となる下方向への金型スライド構造によって形成される。したがって、後面筐体３０の外観上に、後面筐体３０の前後方向となる開口を形成することなく、後面係合部３１を形成することができる。
【００４３】
後面係合部３１は、図３に示すように、孔部（以下「後面孔部」という場合がある）３２と、摺動部３３と、連結部（以下「後面連結部」という場合がある）３６と、係止部３７とを有する。摺動部３３および係止部３７は、後面筐体３０の本体部分３４から、液晶表示パネル１０の厚み方向一方側である前面筐体２０側に突出して形成される。具体的には、摺動部３３および係止部３７は、後面筐体３０の本体部分３４から前方側に延びて形成される。すなわち摺動部３３および係止部３７は、後面筐体３０が液晶表示パネル１０に取付けられた状態において、後面筐体３０の本体部分３４から、液晶表示パネル１０の厚み方向一方側である前面筐体２０側に延びて形成される。
【００４４】
後面連結部３６は、摺動部３３と係止部３７とを連結する連結部分と、連結部分を基端部として突出する突起部分３６ｂとを有する。連結部分は、摺動部３３および係止部３７の延在方向に垂直な方向、すなわち後面筐体３０の長辺方向である横方向に延びて形成される。
【００４５】
突起部分３６ｂは、連結部分から本体部分３４側、具体的には、本体部分３４の矩形枠状部分の上辺部の周縁部分３４ｃ側に突出して形成される。すなわち突起部分３６ｂは、後面筐体３０が液晶表示パネル１０に取付けられた状態において、液晶表示パネル１０の厚み方向他方側である後方側に突出して形成される。換言すれば、突起部分３６ｂは、後面筐体３０が液晶表示パネル１０に取付けられた状態において、連結部分を基端部として、遊端部が液晶表示パネル１０の厚み方向他方側である後方側に位置するように設けられる。突起部分３６ｂは、突起部分３６ｂと摺動部３３との間、および突起部分３６ｂと係止部３７との間に隙間が形成されるように、突起部分３６ｂの横方向における寸法が、連結部分の横方向における寸法よりも若干小さくなるように形成される。
【００４６】
摺動部３３および係止部３７は、横方向から見た断面形状が、略三角形状の板状に形成される。摺動部３３および係止部３７は、略三角形状の一辺を含む仮想一平面（以下「第１仮想平面」という場合がある）が、後面筐体３０の厚み方向に平行になるように、換言すれば後面筐体３０の平板部分３４ｄの厚み方向一方側の表面部に垂直になるように設けられる。
【００４７】
後面連結部３６の突起部分３６ｂは、略平板状に形成される。突起部分３６ｂは、前述の第１仮想平面に対して、傾斜するように設けられる。突起部分３６ｂは、突起部分３６ｂと第１仮想平面との成す角度が、摺動部３３と第１仮想平面との成す角度、および係止部３７と第１仮想平面との成す角度よりも大きくなるように形成される。また突起部分３６ｂは、突起部分３６ｂの遊端部の第１仮想平面からの高さが、摺動部３３および係止部３７の突起部分３６ｂに対向する部分の第１仮想平面からの高さよりも大きくなるように形成される。
【００４８】
後面孔部３２は、後面筐体３０の本体部分３４の周縁部分３４ｃの一部と、摺動部３３と、係止部３７と、後面連結部３６とによって形成される。すなわち、係合孔の壁部は、後面筐体３０の本体部分３４の周縁部分３４ｃの一部と、摺動部３３と、係止部３７と、後面連結部３６とによって構成される。後面孔部３２は、前面爪部２２が係合される係合孔を規定する。後面孔部３２は、係合孔の壁部を構成する。換言すれば、後面孔部３２には、前面爪部２２が係合される係合孔が形成される。後面連結部３６は、前述のように突起部分３６ｂを有するので、後面孔部３２の係合孔は、縦方向、すなわち後面筐体３０の上方から見て、Ｃ字状に形成されている。
【００４９】
前面係合部２１の前面爪部２２は、後面係合部３１の後面孔部３２に係合される。前面係合部２１は、前述の第１仮想平面が液晶表示パネル１０の厚み方向に平行になる位置に後面筐体３０が配置されている状態において、前面爪部２２が後面孔部３２に係合され、かつ前面連結部２３が後面連結部３６の突起部分３６ｂに押圧されるように構成される。後面連結部３６の突起部分３６ｂに前面連結部２３が押圧されることによって、前面係合部２１が後面係合部３１に係止される。このようにして、前面筐体２０および後面筐体３０が、液晶表示パネル１０に取付けられる。
【００５０】
前面係合部３１は、液晶表示パネル１０の側面部側への突出量である高さＨが、後面係合部３１の撓み寸法よりも大きくなるように形成される。ここで、「後面係合部３１の撓み寸法」とは、後面係合部３１が変形可能な最大の撓み量をいう。このように本実施の形態では、前面係合部２１の高さＨの寸法を、後面係合部３１の撓み寸法よりも大きい寸法にして、前面係合部２１と後面係合部３１とを係合させている。これによって、前面筐体２０と後面筐体３０との係合部の形成箇所を増やすことなく、ねじによって前面筐体２０と後面筐体３０とを結合させる場合と同等の結合強度を確保することができる。
【００５１】
摺動部３３は、後面連結部３６の突起部分３６ｂによる前面連結部２３の押圧が解除された状態において、前面爪部２２が、液晶表示パネル１０の厚み方向に垂直な側面方向に摺動可能に構成される。本実施の形態では、側面方向は、横方向、すなわち液晶表示パネル１０の長辺方向である。
【００５２】
係止部３７は、側面方向である横方向に関して摺動部３３とは反対側に、摺動部３３に対向して設けられる。係止部３７は、前面爪部２２が側面方向に摺動できないように構成されており、前面爪部２２を係止する。つまり、前面爪部２２は、係止部３７から摺動部３３に向かう方向である図３の矢符３８で示される方向には摺動可能であり、摺動部３３から係止部３７に向かう方向、すなわち矢符３８の反対方向には摺動できないように構成される。
【００５３】
液晶表示パネル１０から筐体２０，３０を取外すときには、まず、前面筐体２０と後面筐体３０とが係合している部分、すなわち前面係合部２１と後面係合部３１との接触部分を支点とする回転運動によって、後面筐体３０を持ち上げる。すなわち後面筐体３０は、角変位運動可能に構成される。後面筐体３０を持ち上げて角変位させると、後面連結部３６の突起部分３６ｂによる前面連結部２３の押圧が解除される。このようにして押圧が解除された状態にして、後面筐体３０をさらに角変位させて、後面係合部３１の後面連結部３６の先端部３６ａが、前面筐体２０および後面筐体３０の内部の液晶表示パネル１０と接するまで後面筐体３０を持ち上げると、係止部３７から摺動部３３に向かう方向である図３の矢符３８で示される方向、すなわち横方向に、前面筐体２０の前面爪部２２を摺動させる。
【００５４】
すなわち、後面連結部３６と液晶表示パネル１０の上辺部との成す角度が、後面連結部３６の先端部３６ａが液晶表示パネル１０と接する角度となるときに、後面係合部３１の係止部３７から摺動部３３に向かう矢符３８の方向に、前面爪部２２を横摺動させる。
【００５５】
このようにすることによって、前面係合部２１の前面爪部２２を、後面係合部３１の後面孔部３２から容易に外すことができるので、前面筐体２０と後面筐体３０との係合を容易に解消することができる。
【００５６】
したがって、本実施の形態では、前面筐体２０と後面筐体３０との結合強度を、ねじによって結合させる場合と同等に確保するとともに、筐体２０，３０を容易に取外すことが可能である。
【００５７】
また本実施の形態では、液晶表示パネル外枠１３の外周部に、ねじで結合するためのボスを形成する必要が無い。また、外観部となる筐体２０，３０に、筐体２０，３０を取外すときに必要となる押し込み用の孔を形成する必要が無い。したがって、外観部のデザイン性を損なうことなく、前面筐体２０の枠状部２４の幅寸法Ｗを小さくすることができる。
【００５８】
また本実施の形態では、後面筐体３０の摺動部３３は、前面爪部２２と接する部分が、凹曲面状に形成される。これによって、液晶表示パネル１０から筐体２０，３０を取外すために後面筐体３０を持ち上げたときに、摺動部３３に接している前面爪部２２を、円滑に側面方向である横方向３８に摺動させることができる。したがって、前面爪部２２が損傷してしまうことを防ぐことができる。
【００５９】
以上に述べた本実施の形態では、後面係合部３１は、後面筐体３０の本体部分３４と一体的に形成されるが、本体部分３４と別体に形成されて、本体部分３４に接着によって固定されてもよい。この場合、後面筐体３０は、図３に示す後面係合部３１と同形状の部品を別途製造して、本体部分３４と同形状の筐体に接着によって固定することによって製造される。この場合も本実施の形態と同様の効果を得ることができる。
【００６０】
また後面係合部３１を別部品として製造して本体部分３４に相当する筐体に接着して後面筐体３０を製造する場合には、後面係合部３１を接着する前の本体部分３４に相当する筐体の形状を簡易化することができるので、前述の本実施の形態の効果とともに、大型となる筐体の金型構造を簡略化することが可能となるという効果を得ることができる。
【００６１】
また本実施の形態では、前面爪部２２および前面連結部２３を有する前面係合部２１を前面筐体２０に設け、後面孔部３２および摺動部３３などを有する後面係合部３１を後面筐体３０に設けている。これに限定されず、本実施の形態の前面係合部２１と同様の構成の係合部を後面筐体３０に設け、本実施の形態の後面係合部３１と同様の構成の係合部を前面筐体２０に設けるようにしてもよい。
【００６２】
加工性の観点からは、本実施の形態のように、孔部３２および摺動部３３を有する係合部３１を後面筐体３０に設け、爪部２２を有す係合部２１を前面筐体２０に設ける構成とすることが好ましい。後面筐体３０は、略板状であるので、枠状の前面筐体２０に比べて強度が高く、種々の加工を行っても破損しにくい。したがって、後面筐体３０の方に、より複雑な係合部である、孔部３２および摺動部３３を有する係合部３１を設ける方が好ましい。
【００６３】
また本実施の形態では、表示装置１は液晶表示装置であるが、本実施の形態における筐体取付構造は、液晶表示装置以外の表示装置にも適用可能である。たとえば表示装置がＰＤＰ表示装置である場合、液晶表示パネル１０に代えてＰＤＰに対して、本実施の形態における筐体取付構造によって、筐体２０，３０が取付けられる。
【符号の説明】
【００６４】
１  表示装置、１０  液晶表示パネル、１１  液晶表示部、１２  バックライト装置、１３  液晶表示パネル外枠、１４  表示画面、２０  前面筐体、２１  前面係合部、２２  前面爪部、２３  前面連結部、２４  枠状部、３０  後面筐体、３１  後面係合部、３２  後面孔部、３３  摺動部、３４  本体部分、３５  コア部、３６  後面連結部、３７  係止部。
【図１】
0005743670.tif 000002
【図２】
0005743670.tif 000003
【図３】
0005743670.tif 000004
【図４】
0005743670.tif 000005
【図５】
0005743670.tif 000006
【図６】
0005743670.tif 000007
【図７】
0005743670.tif 000008